(57)【要約】【課題】アルコール検知の偽装を防止することが可能なアルコール検知器を提供すること。【解決手段】アルコール検知器は、呼気吹き込み口と空気吸い込み口とが単一の通用口３で兼用されるとともに、それを始端とする共通流路４の終端を分岐点として、一方の先に呼気吹き込み用流路５が設けられ、他方の先に空気吸い込み用流路６が設けられている。マイコンは、呼気の吹き込みと空気の吸い込みとの組み合わせにより得られる基準動作パターンに沿った態様で、呼気の吹き込み及び空気の吸い込みが行われたことが風力センサ１４，１５により検出されたことを条件として、アルコールセンサ１６によるアルコール検知結果を有効化する。【選択図】図２
2009008499.tif 000002
【特許請求の範囲】
【請求項１】
呼気吹き込み口から吹き込まれた呼気に含まれるアルコールをアルコールセンサで検出するアルコール検知器において、
前記呼気吹き込み口から前記アルコールセンサに至る呼気吹き込み用流路と兼用される又はそれとは別に設けられる空気吸い込み用流路に、前記呼気吹き込み口と兼用される又はそれとは別に設けられる空気吸い込み口から空気が吸い込まれたか否かを検出する吸い込み検出センサを設け、
前記吸い込み検出センサにより空気の吸い込みが検出されたことを条件として、前記アルコールセンサによるアルコール検知結果を有効化するアルコール検知妥当性検証手段を備えていることを特徴とするアルコール検知器。
【請求項２】
請求項１に記載のアルコール検知器において、
前記呼気吹き込み口から呼気が吹き込まれたか否かを検出する吹き込み検出センサを前記呼気吹き込み用流路に設け、
前記アルコール検知妥当性検証手段は、前記呼気吹き込み口からの呼気の吹き込みと前記空気吸い込み口からの空気の吸い込みとの組み合わせにより得られる基準動作パターンに沿った態様で、呼気の吹き込み及び空気の吸い込みが行われたことが前記吸い込み検出センサ及び前記吹き込み検出センサにより検出されたことを条件として、前記アルコールセンサによるアルコール検知結果を有効化することを特徴とするアルコール検知器。
【請求項３】
請求項１又は請求項２に記載のアルコール検知器において、
前記呼気吹き込み口と前記空気吸い込み口とを単一の通用口で兼用するとともに、それを始端とする共通流路の終端を分岐点として、一方の先に前記呼気吹き込み用流路を設け、他方の先に前記空気吸い込み用流路を設け、
前記呼気吹き込み用流路にあって、前記分岐点と前記アルコールセンサとの間に第１の逆流防止弁を設けるとともに、前記空気吸い込み用流路に第２の逆流防止弁を設け、
空気の吸い込み時には、前記第１の逆流防止弁を閉動作させるとともに、前記第２の逆流防止弁を開動作させ、呼気の吹き込み時には、前記第１の逆流防止弁を開動作させるとともに、前記第２の逆流防止弁を閉動作させる弁制御手段を備えていることを特徴とするアルコール検知器。
【発明の詳細な説明】
【技術分野】
【０００１】
本発明は、呼気中のアルコールを検出するアルコール検知器に関する。
【背景技術】
【０００２】
近年、飲酒運転を防止するためのシステムとして、基準値を超えるアルコールがアルコール検知器で検出されたとき、車両の運転を禁止するものが提案されている。
特許文献１には、こうしたシステムに供されるアルコール検知器が開示されるとともに、それは、呼気吹き込み口から吹き込まれた呼気の風力が風力センサで検出され、それが基準風力に達するものであるとき、呼気の吹き込みがあったものと判断され、この場合、アルコール検知が適切に行われたものとして扱われるようになっている。
【０００３】
このため、飲酒状態にあるアルコール被験者が、車両の運転が禁止されるのを避けるために、息を止めながらアルコール検知を行ったとしても、こうした場合には、風力センサで基準風力に満たない風力しか検出されないことになる。従って、この場合、アルコール検知が不適切なものとして扱われるとともに、車両の運転は許容されず、よって、こうしたアルコール検知の偽装が防止されるようになっている。
【特許文献１】特開２００４−２１２２１７号公報（段落番号０００６〜００１３）
【発明の開示】
【発明が解決しようとする課題】
【０００４】
しかしながら、特許文献１で開示されているアルコール検知器では、基準風力に達する風力が風力センサで検出されれば良い訳であり、アルコール被験者が呼気を吹き込む代わりに、ポンプや風船等の道具から基準風力に達する空気を送り込んだ場合でも、呼気の吹き込みがあったものと判断されてしまう。このため、飲酒状態にあるアルコール被験者しか居ないような状況下では、こうした偽装が行われる可能性を否定できず、こうした偽装を経て車両の運転が許容されると、飲酒運転を防止するという本来の目的が損なわれてしまう。
【０００５】
本発明は、このような問題点に着目してなされたものであって、その目的は、アルコール検知の偽装を防止することが可能なアルコール検知器を提供することにある。
【課題を解決するための手段】
【０００６】
上記の目的を達成するために、請求項１に記載の発明は、呼気吹き込み口から吹き込まれた呼気に含まれるアルコールをアルコールセンサで検出するアルコール検知器において、前記呼気吹き込み口から前記アルコールセンサに至る呼気吹き込み用流路と兼用される又はそれとは別に設けられる空気吸い込み用流路に、前記呼気吹き込み口と兼用される又はそれとは別に設けられる空気吸い込み口から空気が吸い込まれたか否かを検出する吸い込み検出センサを設け、前記吸い込み検出センサにより空気の吸い込みが検出されたことを条件として、前記アルコールセンサによるアルコール検知結果を有効化するアルコール検知妥当性検証手段を備えていることをその要旨としている。
【０００７】
同構成によると、空気の吸い込みという、道具を使った空気の送り込みでは難しい空気の流れを要求することで、アルコール検知の偽装を防止することができる。
請求項２に記載の発明は、請求項１に記載のアルコール検知器において、前記呼気吹き込み口から呼気が吹き込まれたか否かを検出する吹き込み検出センサを前記呼気吹き込み用流路に設け、前記アルコール検知妥当性検証手段は、前記呼気吹き込み口からの呼気の吹き込みと前記空気吸い込み口からの空気の吸い込みとの組み合わせにより得られる基準動作パターンに沿った態様で、呼気の吹き込み及び空気の吸い込みが行われたことが前記吸い込み検出センサ及び前記吹き込み検出センサにより検出されたことを条件として、前記アルコールセンサによるアルコール検知結果を有効化することをその要旨としている。
【０００８】
同構成によると、基準動作パターンに沿った態様での吹き込み及び吸い込みを要求することで、道具による偽装がますます困難なものとなり、よってアルコール検知の偽装を確実に防止することができる。
【０００９】
請求項３に記載の発明は、請求項１又は請求項２に記載のアルコール検知器において、前記呼気吹き込み口と前記空気吸い込み口とを単一の通用口で兼用するとともに、それを始端とする共通流路の終端を分岐点として、一方の先に前記呼気吹き込み用流路を設け、他方の先に前記空気吸い込み用流路を設け、前記呼気吹き込み用流路にあって、前記分岐点と前記アルコールセンサとの間に第１の逆流防止弁を設けるとともに、前記空気吸い込み用流路に第２の逆流防止弁を設け、空気の吸い込み時には、前記第１の逆流防止弁を閉動作させるとともに、前記第２の逆流防止弁を開動作させ、呼気の吹き込み時には、前記第１の逆流防止弁を開動作させるとともに、前記第２の逆流防止弁を閉動作させる弁制御手段を備えていることをその要旨としている。
【００１０】
同構成によると、空気の吸い込み時には、第１の逆流防止弁が閉じられるので、吸い込みの空気によってアルコールセンサが冷やされるというようなことが回避される。このため、加熱を必要とするようなアルコールセンサを採用した場合において、無駄な加熱を行わなくても済むこととなり、よって加熱による消費電力を低減できる。また、アルコールセンサの温度を一定に保つことができるので、それでアルコールを検出する段階となったとき、誤検知を防止できる。
【００１１】
また、呼気の吹き込み時には、第２の逆流防止弁が閉じられるので、呼気と空気とがアルコールセンサ付近で混ざり合うようなことが回避される。このため、アルコールセンサによるアルコールの検出精度を向上できる。
【発明の効果】
【００１２】
本発明は、以上のように構成されているため、次のような効果を奏する。
本発明によれば、アルコール検知の偽装を防止することができる。
【発明を実施するための最良の形態】
【００１３】
以下、本発明を具体化した一実施形態について説明する。
図１に示されるアルコール検知器１は、飲酒運転を防止するためのシステムに供されるとともに、こうした飲酒運転防止システムは、車両ユーザが所持する電子キーと、車両側に設けられるセキュリティ装置との間でキー認証に関する双方向通信が行われる、いわゆる電子キーシステムが適用された車両に適用される。
【００１４】
そして、こうした車両では、前記キー認証を通じて、車両に適合する正規の電子キーが利用された旨がセキュリティ装置で肯定判断され、且つ当該アルコール検知器１によるアルコール検知が行われた結果、基準値を下回るアルコールが検出されたことを条件として、車両の運転が許容されるようになっている。
【００１５】
アルコール検知器１は、車内に設置されるとともに、その検知器本体２の端面からは、アルコール被験者が呼気を吹き込むための呼気吹き込み口とアルコール被験者が空気を吸い込むための空気吸い込み口とが兼用された単一の通用口３が突設されている。尚、通用口３は、アルコール被験者によって直接口付けられるものであるとともに、そのため、くわえ心地を考慮した適度な外径を有する円筒状をなしている。
【００１６】
ここに、通用口３は、アルコール被験者によって直接口付けられるものであるから、検知器本体２に対して着脱自在に設けることで、他人用のものから自分専用のものに付け替えできるようにし、これにより衛生面を配慮したものであってもよい。ちなみに、アルコール検知器１は、車内に設置されるものに限らず、車両ユーザ本人やその者から許可を受けた運転予定者によって前記電子キーと併せて所持されるものであってもよい。
【００１７】
図２に示すように、検知器本体２の内部には、前記通用口３を始端とする共通流路４が設けられるとともに、さらにその奥部には、共通流路４の終端を分岐点として、一方の先に呼気吹き込み用流路５が設けられ、他方の先に空気吸い込み用流路６が設けられている。
【００１８】
そして、前記共通流路４には、そこを通過する呼気或いは空気の温度を検出するための温度センサ１１、同じくその湿度を検出するための湿度センサ１２、同じくそれに含まれる二酸化炭素の濃度を検出するための二酸化炭素センサ１３、の三者が集約されるようにして設けられている。また、前記呼気吹き込み用流路５には、そこを通過する呼気の風力を検出するための風力センサ１４が設けられるとともに、前記空気吸い込み用流路６には、そこを通過する空気の風力を検出するための風力センサ１５が設けられている。さらに、前記呼気吹き込み用流路５において風力センサ１４の先には、そこを通過する呼気に含まれるアルコールを検出するためのアルコールセンサ１６が設けられている。
【００１９】
尚、前記呼気吹き込み用流路５においてアルコールセンサ１６の先には、通用口３から吹き込まれた呼気を検知器本体２の外部に排出するための図示しない排気口が設けられている。また、前記空気吸い込み用流路６において風力センサ１５の先には、通用口３から空気が吸い込まれるに際して、検知器本体２の外部から空気を取り込むための図示しない吸気口が設けられている。
【００２０】
前記呼気吹き込み用流路５において風力センサ１４の手前には、第１の逆流防止弁２１が設けられるとともに、前記空気吸い込み用流路６において風力センサ１５の手前には、第２の逆流防止弁２２が設けられている。
【００２１】
図３に示すように、前記各センサ１１〜１６及び前記各逆流防止弁２１，２２は、前記検知器本体２に内蔵されたマイコン１０に電気的に接続されている。また、マイコン１０には、当該アルコール検知器１によるアルコール検知を開始するため等に操作されるアルコール検知スイッチ３１，３２及びアルコール被験者が執るべき行動に関するメッセージを表示により報知するディスプレイ３３が電気的に接続されている。
【００２２】
前記マイコン１０は、不揮発性のメモリ１０ａを備えるとともに、そのメモリ１０ａには、アルコール被験者が執るべき行動に関するデータとして、前記通用口３からの呼気の吹き込みと前記通用口３からの空気の吸い込みとの組み合わせにより得られる基準動作パターンに関するデータが記憶されている。本実施形態では、前記基準動作パターンとして、通用口３から空気を強く吸い込んだ後、今度は通用口３から呼気を弱く吹き込む、といったパターンが設定されるとともに、こうしたパターンがアルコール被験者が執るべき行動となっている。
【００２３】
また、前記メモリ１０ａには、呼気に特有の温度（体温付近の温度である３５℃）に所定の許容差を含ませた温度範囲に関するデータ（基準温度範囲データ）が記憶されるとともに、呼気に特有の湿度（呼気には水蒸気が多く含まれていることを踏まえて９５％）に所定の許容差を含ませた湿度範囲に関するデータ（基準湿度データ）が記憶されている。さらに、前記メモリ１０ａには、呼気に特有の二酸化炭素濃度（４％）に所定の許容差を含ませた二酸化炭素濃度範囲に関するデータ（基準二酸化炭素濃度範囲データ）が記憶されている。
【００２４】
マイコン１０は、アルコール検知スイッチ３１，３２が同時に操作されたことをトリガとして、当該アルコール検知器１によるアルコール検知に必要な準備として、アルコールセンサ１６の加熱を開始する。尚、アルコールセンサ１６は、センサエレメントが加熱されることでそれが所定の温度に達した段階で、つまり加熱が完了した段階で、呼気に含まれるアルコールを検出することができるようになっている。
【００２５】
マイコン１０は、アルコールセンサ１６の加熱が完了したとき、つまり当該アルコール検知器１によるアルコール検知に必要な準備が整ったとき、アルコール検知に際してアルコール被験者が執るべき行動に関するメッセージをディスプレイ３３に表示する。この場合、かかるメッセージとして「ボタンを押しながら強く吸い込んで下さい」をディスプレイ３３に表示する。尚、図４に示すように、このディスプレイ３３は、アルコール被験者が通用口３を口でくわえた状態で前記メッセージを視認することができるような位置に設けられている。本実施形態においてディスプレイ３３は、報知手段に相当する。
【００２６】
そして、マイコン１０は、前記メッセージに従ってアルコール被験者が通用口３から空気を吸い込むようになることを想定して、第１の逆流防止弁２１を閉動作させるとともに、第２の逆流防止弁２２を開動作させる。これにより、アルコール被験者が通用口３から空気を吸い込んだとき、図５に示すように、空気吸い込み用流路６には吸い込みの空気が流れる一方で、呼気吹き込み用流路５には吸い込みの空気が流れないようになっている。つまり、空気の吸い込み時には、第１の逆流防止弁２１が閉じられるので、吸い込みの空気によってアルコールセンサ１６が冷やされるというようなことが回避されるようになっている。本実施形態においてマイコン１０は、弁制御手段に相当する。
【００２７】
マイコン１０は、上記のようにアルコール被験者に対して空気の吸い込みを要求したとき、アルコール検知スイッチ３１，３２の操作に関する検出信号を監視するとともに、風力センサ１５による風力検出に関する検出信号を監視する。そして、マイコン１０は、これらの検出信号を解析することで、アルコール検知スイッチ３１，３２が操作されながら、空気が強く吸い込まれたことを把握したとき、ここまでの段階にあって、要求通りにアルコール検知が行われたとの判定を下す。本実施形態において風力センサ１５は、吸い込み検出センサに相当する。また、マイコン１０は、アルコール検知スイッチ３１，３２（操作スイッチ）が操作されている状態にあることを条件として、風力センサ１５（吸い込み検出センサ）による空気の吸い込み検出を有効化する第２のアルコール検知妥当性検証手段に相当する。
【００２８】
そして、マイコン１０は、このような判定を下したとき、アルコール検知に際してアルコール被験者が次に執るべき行動に関するメッセージをディスプレイ３３（報知手段）に表示する。この場合、かかるメッセージとして「ボタンを押しながら弱く吹き込んで下さい」をディスプレイ３３に表示する。
【００２９】
そして、マイコン１０（弁制御手段）は、前記メッセージに従ってアルコール被験者が通用口３から呼気を吹き込むようになることを想定して、今度は第１の逆流防止弁２１を開動作させるとともに、第２の逆流防止弁２２を閉動作させる。これにより、アルコール被験者が通用口３から呼気を吹き込んだとき、図６に示すように、呼気吹き込み用流路５には吹き込みの呼気が流れる一方で、空気吸い込み用流路６には吹き込みの呼気が流れないようになっている。つまり、呼気の吹き込み時には、第２の逆流防止弁２２が閉じられるので、呼気と空気とがアルコールセンサ１６付近で混ざり合うようなことが回避されるようになっている。
【００３０】
マイコン１０は、上記のようにアルコール被験者に対して呼気の吹き込みを要求したとき、アルコール検知スイッチ３１，３２の操作に関する検出信号を監視するとともに、風力センサ１４による風力検出に関する検出信号を監視し、さらに各センサ１１〜１３による温度、湿度、二酸化炭素濃度の検出に関する検出信号を監視する。勿論、マイコン１０は、このとき、アルコールセンサ１６によるアルコール検出に関する検出信号についても監視する。
【００３１】
そして、マイコン１０は、これらの検出信号を解析することで、アルコール検知スイッチ３１，３２が操作されながら、風力センサ１４により所定レベルに達する風力が検出されたことを把握したとき、呼気とは限らないまでも何らかが適切に吹き込まれたとの判定を下す。尚、この段階では、吹き込まれたものが呼気であるのか、それともポンプや風船等の道具から送り込まれた空気であるのか、の判別はできない。本実施形態において風力センサ１４は、吹き込み検出センサに相当する。
【００３２】
そして、マイコン１０は、さらに解析を進めることで、温度センサ１１により３５℃付近の温度が検出されるとともに、湿度センサ１２により９５％付近の湿度が検出され、さらに二酸化炭素センサ１３により４％付近の二酸化炭素濃度が検出されたことを把握したとき、吹き込まれたものが呼気であるとの判定を下す。尚、こうした判定は、メモリ１０ａに記憶された前記各基準データとの比較により行われる。本実施形態では、温度センサ１１、湿度センサ１２、二酸化炭素センサ１３、の三者により呼気特定手段が構成されている。ここに、温度センサ１１、湿度センサ１２、二酸化炭素センサ１３、の少なくとも１つにより呼気特定手段が構成されてもよい。
【００３３】
そして、マイコン１０は、これらの判定を経て、アルコール検知スイッチ３１，３２が操作されながら、呼気が弱く吹き込まれたことを把握したとき、ここまでの段階にあって、要求通りにアルコール検知が行われたとの判定を下す。
【００３４】
そして、マイコン１０は、このような判定を下したことを条件として、つまり基準動作パターンに沿った態様で、空気の吸い込み及び呼気の吹き込みが行われたことを条件として、アルコールセンサ１６によるアルコール検知結果に関する検出信号を有効化する。本実施形態においてマイコン１０は、アルコール検知妥当性検証手段に相当する。
【００３５】
マイコン１０は、このようにしてアルコールセンサ１６によるアルコール検知結果に関する検出信号を有効化したとき、その検出信号を解析することで、通用口３から吹き込まれた呼気に含まれるアルコール量を認識する。そして、マイコン１０は、呼気中のアルコール量に関する情報を含む信号（アルコール検知結果信号）を生成し、それを飲酒運転防止制御装置５０に出力する。
【００３６】
尚、飲酒運転防止制御装置５０は、このアルコール検知結果信号に含まれている呼気中のアルコール量に関する情報を解析することで、呼気中のアルコール量が基準アルコール量を下回っているか否かを判断する。尚、基準アルコール量に関するデータは、図示しない不揮発性のメモリに記憶されるとともに、例えば、呼気１リットルあたりのアルコール量が０．１５ミリグラム（＝０．１５ｍｇ／Ｌ）に設定されている。その結果、呼気中のアルコール量が基準アルコール量を下回っているとき、車両の運転が許容されるために必要な条件の１つが満たされる。
【００３７】
つまり、本実施形態の車両では、呼気中のアルコール量が基準アルコール量を下回っている旨が飲酒運転防止制御装置５０で認識され、且つ車両に適合する正規の電子キーが利用された旨が図示しないセキュリティ装置で肯定判断されたことを条件として、車両の運転が許容されるようになっている。
【００３８】
以上、詳述したように本実施形態によれば、次のような作用、効果を得ることができる。
（１）空気の吸い込みという、道具を使った空気の送り込みでは難しい空気の流れを要求することで、アルコール検知の偽装を防止することができる。
【００３９】
（２）基準動作パターンに沿った態様での吹き込み及び吸い込みを要求することで、道具による偽装がますます困難なものとなり、よってアルコール検知の偽装を確実に防止することができる。
【００４０】
（３）空気の吸い込み時には、第１の逆流防止弁２１が閉じられるので、吸い込みの空気によってアルコールセンサ１６が冷やされるというようなことが回避される。このため、加熱を必要とするようなアルコールセンサ１６を採用した場合において、無駄な加熱を行わなくても済むこととなり、よって加熱による消費電力を低減できる。また、アルコールセンサ１６の温度を一定に保つことができるので、それでアルコールを検出する段階となったとき、誤検知を防止できる。
【００４１】
（４）呼気の吹き込み時には、第２の逆流防止弁２２が閉じられるので、呼気と空気とがアルコールセンサ１６付近で混ざり合うようなことが回避される。このため、アルコールセンサ１６によるアルコールの検出精度を向上できる。
【００４２】
（５）アルコール被験者は、ディスプレイ３３によるメッセージに沿った行動を執ることで、アルコール検知を適切に行うことができる。例えば、通用口３から空気を強く吸い込んだ後、今度は通用口３から呼気を弱く吹き込む、といったパターンが要求されているとき、それに関するメッセージが報知されれば、そのメッセージに沿った行動を執ることで、アルコール検知を適切に行うことができる。
【００４３】
（６）アルコール検知スイッチ３１，３２を操作しながら、通用口３から空気を吸い込むことで、アルコールセンサ１６によるアルコール検知結果が有効化される。このため、何らかの道具を用いてアルコール検知の偽装を試みようとしても、その道具を用いる際に自分の手が必要となれば、アルコール検知スイッチ３１，３２を操作することができなくなる。従って、アルコール検知の偽装は困難を極め、よってアルコール検知の偽装を確実に防止することができる。
【００４４】
（７）温度センサ１１、湿度センサ１２、二酸化炭素センサ１３、の三者による検出結果を解析することで、通用口３から送り込まれたものが呼気であるか否かを確実に特定することができる。ちなみに、道具から空気が送り込まれた場合、その環境にもよるが、温度センサ１１により２２℃程度の温度が検出されるとともに、湿度センサ１２により５０％程度の湿度が検出され、さらに二酸化炭素センサ１３により０．０３％程度の二酸化炭素濃度が検出されるものと推定される。従って、これらの各検出値は、メモリ１０ａに記憶された各基準データからかけ離れたものとなり、よって呼気と空気とを容易に峻別することができる。
【００４５】
（８）ディスプレイ３３の配設位置を工夫したので、アルコール被験者は、通用口３を口でくわえながら、ディスプレイ３３上のメッセージを視認することができ、よってアルコール検知を簡単且つ確実に行うことができる。
【００４６】
尚、前記実施形態は、次のように変更して具体化することも可能である。
・呼気吹き込み口と空気吸い込み口とを別々に設けてもよい。この場合、呼気吹き込み用流路と空気吸い込み用流路とを完全に独立形成してもよいし、それらの一部を共通流路で賄ってもよい。
【００４７】
・呼気吹き込み用流路と空気吸い込み用流路とを完全に兼用してもよい。
・基準動作パターンは、前記実施形態の態様に限定されない。要は、１回の吸い込みと１回の吹き込みとが順不問で少なくとも含まれていればよい。尚、基準動作パターンを複雑化する程、偽装を困難にできるとともに、それを単純化する程、アルコール被験者に対する負荷を軽減できる。ここに、吸い込み／吹き込みの順序、時間的長さ、風速の大小、風量の多少等を組み合わせれば、偽装をさらに困難にできる。ちなみに、吸い込みや吹き込みを止める休止期間（例えば、連続して３秒間）を織り交ぜてもよい。
【００４８】
・報知手段として、ディスプレイ３３等の表示手段に代えて又は加えて、スピーカ等の鳴動手段を採用してもよい。
・温度センサ１１の種類は問わない。例えば、サーミスタを用いてもよい。
【００４９】
・湿度センサ１２の種類は問わない。例えば、静電容量型高分子膜湿度センサを用いてもよい。
・二酸化炭素センサ１３の種類は問わない。例えば、非分散型赤外線吸収式センサを用いてもよい。
【００５０】
・風力センサ１４，１５の種類は問わない。例えば、サーミスタを用いてもよい。
・アルコールセンサ１６の種類は問わない。例えば、半導体式アルコールセンサを用いてもよい。
【００５１】
・操作スイッチの数は２個に限定されない。１個でも３個以上でもよい。尚、数を多くし、且つそれらが操作されている状態にあることを条件として、アルコール検知を有効にするようにすれば、偽装を困難にできる。
【００５２】
次に、上記実施形態及び別例から把握できる技術的思想について記載する。
〔１〕請求項１〜請求項３のいずれか１項に記載のアルコール検知器において、
アルコール被験者が執るべき行動に関するメッセージを報知する報知手段を備えていることを特徴とするアルコール検知器。
【００５３】
同構成によると、アルコール被験者は、報知手段によるメッセージに沿った行動を執ることで、アルコール検知を適切に行うことができる。例えば、空気吸い込み口から空気を強く吸い込んだ後、今度は呼気吹き込み口から呼気を弱く吹き込む、といったパターンが要求されているとき、それに関するメッセージが報知されれば、そのメッセージに沿った行動を執ることで、アルコール検知を適切に行うことができる。
【００５４】
〔２〕請求項１〜請求項３、上記技術的思想〔１〕のいずれか１項に記載のアルコール検知器において、
アルコール被験者によって操作される操作スイッチを設け、
前記操作スイッチが操作されている状態にあることを条件として、前記吸い込み検出センサによる空気の吸い込み検出を有効化する第２のアルコール検知妥当性検証手段を備えていることを特徴とするアルコール検知器。
【００５５】
同構成によると、操作スイッチを操作しながら、空気吸い込み口から空気を吸い込むことで、アルコールセンサによるアルコール検知結果が有効化される。このため、何らかの道具を用いてアルコール検知の偽装を試みようとしても、その道具を用いる際に自分の手が必要となれば、操作スイッチを操作することができなくなる。従って、アルコール検知の偽装は困難を極め、よってアルコール検知の偽装を確実に防止することができる。
【図面の簡単な説明】
【００５６】
【図１】アルコール検知器の外観を示す斜視図。
【図２】アルコール検知器の内部構成を示す説明図。
【図３】アルコール検知器の電気的構成を示すブロック図。
【図４】アルコール検知器の使用状態を示す説明図。
【図５】吸い込み時の空気の流れを示す説明図。
【図６】吹き込み時の呼気の流れを示す説明図。
【符号の説明】
【００５７】
１…アルコール検知器、３…通用口（呼気吹き込み口、空気吸い込み口）、４…共通流路、５…呼気吹き込み用流路、６…空気吸い込み用流路、１０…マイコン（アルコール検知妥当性検証手段、弁制御手段）、１４…風力センサ（吹き込み検出センサ）、１５…風力センサ（吸い込み検出センサ）、１６…アルコールセンサ、２１…第１の逆流防止弁、２２…第２の逆流防止弁。
【図１】
2009008499.tif 000003
【図２】
2009008499.tif 000004
【図３】
2009008499.tif 000005
【図４】
2009008499.tif 000006
【図５】
2009008499.tif 000007
【図６】
2009008499.tif 000008